(57)【要約】【課題】  フィルムや圧着ローラーに損傷を与えることなく、被処理物を圧着ローラーから適切に離反させて巻き込みを防止すると共に、処理後のフィルムの外観を損なうことなく被処理物を適切に搬送して取り出す。【解決手段】  ラミネーター１０は、加熱されたフィルムを被処理物に圧着させる相対向して配置された１対の圧着ローラー１４Ａ、１４Ｂを有している。また、これらの圧着ローラー１４Ａ、１４Ｂと平行して、補助ローラー１８が設置される。これらの圧着ローラー１４と補助ローラー１８とに跨って、ベルト２０が設置される。ベルト２０は、シリコーン樹脂から形成され、圧着ローラー１４により搬送された被処理物に圧着されたフィルムを、圧着ローラー１４の周面から強制的に離反させて、巻き込みを防止する。【選択図】        図２
2005047196.tif 000002
【特許請求の範囲】
【請求項１】
カードその他の被処理物にフィルムを圧着する圧着ローラーを有し、前記フィルム圧着後の被処理物が前記ローラーに巻き込まれるのを防止する巻き込み防止手段を備えたラミネーターにおいて、前記巻き込み防止手段は、前記圧着ローラーの被処理物排出側に配置されて回転する補助ローラーと、前記圧着ローラーと前記補助ローラーとに跨って掛けられて前記圧着ローラー及び前記補助ローラーと共に回転するベルトから成っていることを特徴とするラミネーター。
【請求項２】
請求項１に記載されたラミネーターであって、前記ベルトは、前記圧着ローラーの周面に形成された溝に掛けられることを特徴とするラミネーター。
【請求項３】
請求項１又は請求項２のいずれかに記載されたラミネーターであって、前記ベルトは、シリコーン樹脂から形成されていることを特徴とするラミネーター。
【請求項４】
請求項１乃至請求項３のいずれかに記載されたラミネーターであって、前記ベルトは、相対向して配置された１対の前記圧着ローラー間を、前記圧着ローラーにより負荷される圧力により押し潰されながら通過することを特徴とするラミネーター。
【請求項５】
請求項１乃至請求項４のいずれかに記載されたラミネーターであって、前記圧着ローラーには複数の前記ベルト跨って設置され、前記補助ローラーは、前記複数のベルトに対応して設置されていることを特徴とするラミネーター。
【請求項６】
請求項１乃至請求項５のいずれかに記載されたラミネーターであって、前記ベルトは、前記相対向して配置された１対の圧着ローラーの各々に跨って設置され、前記補助ローラーは前記相対向して配置された１対の圧着ローラーの各々に設置された前記各ベルトに対応して設置されていることを特徴とするラミネーター。
【請求項７】
請求項１乃至請求項６のいずれかに記載されたラミネーターであって、前記補助ローラーは、自由状態で回転自在に支持され、前記圧着ローラー及び前記ベルトの回転により、前記圧着ローラーと同期して回転することを特徴とするラミネーター。
【請求項８】
請求項１乃至請求項６のいずれかに記載されたラミネーターであって、前記補助ローラーは、駆動軸に回転自在に支持され、前記圧着ローラーは、前記補助ローラーの回転により前記ベルトを通じて駆動力が伝達されて回転することを特徴とするラミネーター。
【請求項９】
請求項１乃至請求項８のいずれかに記載されたラミネーターであって、前記補助ローラーは、前記圧着ローラーに平行して配置されていることを特徴とするラミネーター。
【発明の詳細な説明】
【技術分野】
【０００１】
本発明は、カード状の物体その他の被処理物にフィルムを加熱加圧して被覆するラミネーターの改良に関し、特に、フィルム圧着後のカードを圧着ローラーから適切に送り出すことに関するものである。
【背景技術】
【０００２】
ＩＤカード等のカード状の物体に透明のプラスチックフィルムを被覆するラミネーターにおいては、接着用樹脂が塗布されたプラスチックフィルムに挟んだカードその他の被処理物をラミネーター内に挿入し、フィルムを加熱して接着用樹脂を溶融させた後又は加熱しながら、圧着ローラーにて加圧する工程が行われる。
【０００３】
この場合、加熱されて多少軟化した状態にあるフィルムがローラーに付着したり、あるいは、フィルムから接着用溶融樹脂がはみ出て、フィルム圧着後のカードが、圧着ローラーから適切に離反せずに、圧着ローラーに巻き付いたまま送り出されて、処理後のカードの取り出しや内部機構へ悪影響を与え、また、その修復にも手間と時間を要することがあった。
【０００４】
この問題点を解決するものとして、圧着ローラーの回転面又はこの回転面に形成されたスリットに、翼板状のガイドを接触させることにより、フィルム圧着後のカードを圧着ローラーから強制的に離反させて巻き込みを防止することが提案されている（例えば、特許文献１参照）。
【０００５】
しかし、この従来技術では、フィルムよりも硬度が高いガイド板によりフィルム圧着後のカードを搬送するため、フィルムを圧着ローラーから離反させる際に、フィルムに損傷を与え、また、圧着ローラーを摩耗させるおそれがあった。特に、圧着ローラーが摩耗すると、適切な押圧力を確保することができず、その結果、フィルムの圧着状態に悪影響を与えるおそれがあった。
【０００６】
また、この従来技術では、ガイド板は、圧着ローラーの出口側、即ち、圧着ローラーを挟んでフィルムを予備加熱する加熱手段とは反対側の位置に配置されているため、加熱手段の余熱を受ける圧着ローラーとの間に温度差があり、その結果、加熱加圧直後のフィルムがガイド板に接触しながら搬送されると、このガイド板に当接した部分のみが他の部分に比べて冷却時間が早まって接着状態に差が生じ、これによりフィルムに筋又は帯状の跡がついて製品としての美感に悪影響を与える問題がった。
【特許文献１】実公平６−１５０２６号公報
【発明の開示】
【発明が解決しようとする課題】
【０００７】
本発明が解決しようとする課題は、上記の問題点に鑑み、フィルムや圧着ローラーに損傷を与えることなく、被処理物を圧着ローラーから適切に離反させて巻き込みを防止すると共に、処理後のフィルムの外観を損なうことなく被処理物を適切に搬送して取り出すことができるラミネーターを提供することにある。
【課題を解決するための手段】
【０００８】
本発明は、上記の課題を解決するための第１の手段として、カードその他の被処理物にフィルムを圧着する圧着ローラーを有し、フィルム圧着後の被処理物がローラーに巻き込まれるのを防止する巻き込み防止手段を備えたラミネーターにおいて、この巻き込み防止手段は、圧着ローラーの被処理物排出側に配置されて回転する補助ローラーと、圧着ローラーと補助ローラーとに跨って掛けられて圧着ローラー及び補助ローラーと共に回転するベルトから成っていることを特徴とするラミネーターを提供するものである。
【０００９】
本発明は、上記の課題を解決するための第２の手段として、上記第１の解決手段において、ベルトは、圧着ローラーの周面に形成された溝に掛けられることを特徴とするラミネーターを提供するものである。
【００１０】
本発明は、上記の課題を解決するための第３の手段として、上記第１又第２のいずれかの解決手段において、ベルトは、シリコーン樹脂から形成されていることを特徴とするラミネーターを提供するものである。
【００１１】
本発明は、上記の課題を解決するための第４の手段として、上記第１乃至第３のいずれかの解決手段において、ベルトは、２つの相対向して配置された圧着ローラー間を、圧着ローラーにより負荷される圧力により押し潰されながら通過することを特徴とするラミネーターを提供するものである。
【００１２】
本発明は、上記の課題を解決するための第５の手段として、上記第１乃至第４のいずれかの解決手段において、圧着ローラーには複数のベルトが跨って設置され、補助ローラーは、複数のベルトに対応して設置されていることを特徴とするラミネーターを提供するものである。
【００１３】
本発明は、上記の課題を解決するための第６の手段として、上記第１乃至第５のいずれかの解決手段において、ベルトは、相対向して配置された１対の圧着ローラーの各々に跨って設置され、補助ローラーは相対向して配置された１対の圧着ローラーの各々に設置された各ベルトに対応して設置されていることを特徴とするラミネーターを提供するものである。
【００１４】
本発明は、上記の課題を解決するための弟７の手段として、上記第１乃至第６のいずれかの解決手段において、補助ローラーは、自由状態で回転自在に支持され、圧着ローラー及びベルトの回転により、この圧着ローラーと同期して回転することを特徴とするラミネーターを提供するものである。
【００１５】
本発明は、上記の課題を解決するための第８の手段として、上記第１乃至第６のいずれかの解決手段において、補助ローラーは、駆動軸に回転自在に支持され、圧着ローラーは、この補助ローラーの回転によりベルトを通じて駆動力が伝達されて回転することを特徴とするラミネーターを提供するものである。
【００１６】
本発明は、上記の課題を解決するための第９の手段として、上記第１乃至第８のいずれかの解決手段において、補助ローラーは、圧着ローラーに平行して配置されていることを特徴とするラミネーターを提供するものである。
【発明の効果】
【００１７】
本発明によれば、上記のように、ベルトが、圧着ローラーと、この圧着ローラーの被処理物排出側に配置された補助ローラーとに跨って回転するため、このベルトにより加熱加圧後のフィルムを補助ローラー側に送り出して圧着ローラーの周面から強制的に離反させつつ、ベルトは可撓性を有するため、ベルトがフィルムや圧着ローラーに損傷を与えることなく、フィルムの圧着ローラーへの巻き込みを適切に防止することができる実益がある。
【００１８】
また、本発明によれば、上記のように、ベルトは、圧着ローラーと補助ローラーとに跨って回転するため、圧着ローラーのうち補助ローラーとは反対側に位置する部分を回転中に、フィルムを予備加熱する加熱手段によって、圧着ローラーと共に、圧着ローラーの表面とほぼ同程度の温度に温められるため、フィルムに温度差による筋や帯状の跡等が付着することがない実益がある。
【００１９】
本発明によれば、上記のように、ベルトが、圧着ローラーの周面に形成された溝に掛けられているため、回転中に位置ズレすることがないと同時に、圧着ローラーの表面から、必要以上に突出することがないので、２つの相対向する圧着ローラーが接し合う圧着部においても、充分な押圧力の確保の障害となることがないと共に、フィルムが圧着されたカードを円滑に送り出すことができる実益がある。
【００２０】
本発明によれば、上記のように、シリコーン樹脂からベルトを形成しているため、ベルトが圧着ローラーの周面や溝を摩耗させることがなく、充分な押圧力を確保することができると同時に、被処理物に損傷を与えることなく被処理物を適切に搬送することができると共に、ベルトに充分な耐熱性を付与することができる実益がある。
【００２１】
本発明によれば、上記のように、ベルトが２つの相対向して配置された圧着ローラー間を押し潰されながら通過するため、ベルトが圧着ローラーの表面から必要以上に突出して圧着ローラーの押圧力を低下させることがないので、フィルムを被処理物に充分に圧着することができ、空気の混入その他の悪影響を及ぼすことがなく、ラミネートを良好な仕上がり状態にすることができる同時に、圧力に対してその弾性により復元しようとして圧着ローラーの表面に露出してフィルムに対して摩擦抵抗として確実に接触するので、フィルムが圧着された被処理物を適切に送り出すことができる実益がある。
【００２２】
本発明によれば、上記のように、複数のベルト及び補助ローラーを設置しているため、圧着ローラーをバランス良く回転させることができると共に、フィルム圧着後の被処理物を偏って移送することなく適切にかつ確実に取り出し口へ搬送することができる実益がある。
【００２３】
本発明によれば、上記のように、相対向して配置された１対の圧着ローラーの各々にベルトを設置しているため、被処理物に圧着されたフィルムを各々の圧着ローラーの周面から確実に離反させることができると同時に、フィルムが圧着された被処理物を両面から挟持して確実に圧着ローラーから送り出すことができる実益がある。
【００２４】
本発明によれば、上記のように、補助ローラーを自由状態で回転自在に支持して、圧着ローラー及びベルトの回転により、この圧着ローラーと同期して回転させているため、ベルトに必要以上に負荷が加わることがないと同時に、圧着ローラーとは別に補助ローラーの駆動源を設定する必要がなく、駆動源が単数で足りるので、構造が簡易になると共に、一般に圧着ローラーに独自の駆動源を設定している既存品にも簡易に適用することができ、更には、ベルト及び各ローラーの円滑な回転を確保することができる実益がある。
【００２５】
本発明によれば、上記のように、補助ローラーを駆動軸に回転自在に支持して、補助ローラーの回転によりベルトを介して圧着ローラーを回転させているため、補助ローラーとは別に圧着ローラーの駆動源を設定する必要がなく、駆動源が単数で足りるので、構造が簡易になると共に、ベルト及び各ローラーの円滑な回転を確保することができる実益がある。
【００２６】
本発明によれば、上記のように、補助ローラーを、圧着ローラーに平行して配置しているため、ベルトのよじれ等を防止して、ベルト及び各ローラーの円滑な回転を確保することができる実益がある。
【発明を実施するための最良の形態】
【００２７】
本発明の実施の形態を図面を参照しながら詳細に説明すると、図１及び図２は本発明のラミネーターの内部構造の一部を示し、このラミネーターは、特に図２に示すように、図示しない被処理物を被覆したフィルムを加熱する加熱手段１２と、この加熱手段１２により予備加熱されたカードその他の被処理物にフィルムを圧着する圧着ローラー１４と、これらの加熱手段１２及び圧着ローラー１４を収納する図示しないハウジングとを備えている。
【００２８】
なお、フィルムにより被覆される被処理物としては、ラミネーターの内部に取り入れて圧着ローラー１４により圧着することができる物体、具体的には、運転免許証、会員証等のＩＤカードその他のカード状の物体を挙げることができる。また、これらの被処理物を被覆するフィルムとしては、被覆する被処理物の内容が透過できるように透明で、かつ、加熱加圧可能な材質、具体的には、ポリエチレンナフタレートやポリエチレンテレフタレート等のフィルムを挙げることができる。これらのフィルムは、被処理物の形状や大きさに合わせて、略四角形状に形成され、被処理物を挟持できるよう、予め、一辺のみ接着された状態のものを使用することができる。
【００２９】
加熱手段１２は、図２に示すように、圧着ローラー１４よりも上流側（被処理物の取り入れ口方向）に設置され、フィルムにより被覆された被処理物を、圧着ローラー１４に送り込む前に、フィルムを予備加熱して、フィルムに貼着されている接着用樹脂を溶融させる。なお、この加熱手段１２としては、ヒーターその他の適宜の手段を用いることができる。
【００３０】
圧着ローラー１４は、図２に示すように、相対向して配置された上下２対の圧着ローラー１４Ａ及び１４Ｂから成り、相互に反対方向で、かつ、被処理物の取り入れ口方向（図２の左方向）に回転して、両者の間を通過するフィルムが被覆された被処理物を取り出し口方向（図２の右方向）に搬送しながら加圧して溶融した接着用樹脂により、被処理物を上下から覆うフィルムを接着して、ラミネートする。このようにして、送り出されたフィルム圧着後の被処理物は、ハウジングに形成された図示しない取り出し通路を経て取り出し口より、外部へ排出される。
【００３１】
本発明のラミネーターは、更に、フィルム圧着後の被処理物がローラーに巻き込まれるのを防止する巻き込み防止手段１６を備えている。この巻き込み防止手段１６は、図１及び図２に示すように、圧着ローラー１４の被処理物排出側に配置されて回転する補助ローラー１８と、圧着ローラー１４と補助ローラー１８とに跨って掛けられて圧着ローラー１４及び補助ローラー１８と共に回転するベルト２０から成っている。
【００３２】
従って、加熱加圧後のフィルムは、このベルト２０により補助ローラー１８側に送り出されて圧着ローラー１４の周面から強制的に離反させられるため、フィルムの圧着ローラーへの巻き込みを適切に防止することができる。同時に、ベルト２０は可撓性を有するため、ベルト２０がフィルムや圧着ローラー１４に損傷を与えることもない。更に、ベルト２０は、図２に示すように、圧着ローラー１４と補助ローラー１８とに跨って回転するため、圧着ローラー１４のうち補助ローラー１８とは反対側に位置する部分を回転中に、フィルムを予備加熱する加熱手段１２によって、圧着ローラー１４と共に、圧着ローラー１４の表面とほぼ同程度の温度に温められるため、フィルムに温度差による筋や帯状の跡等が付着することもない。
【００３３】
このベルト２０は、図２に特に示すように、相対向して配置された１対の圧着ローラー１４Ａ、１４Ｂの各々に跨って設置され、補助ローラー１８は、これらの相対向して配置された１対の圧着ローラー１４Ａ、１４Ｂの各々に設置された各ベルト２０に対応して設置されている。このため、被処理物に圧着されたフィルムを、各々の圧着ローラー１４Ａ、１４Ｂの周面から確実に離反させることができると同時に、フィルムが圧着された被処理物を両面から挟持して確実に圧着ローラー１４から送り出すことができる。
【００３４】
補助ローラー１８は、図１及び図２に示すように、回転軸２２に支持されて、この回転軸２２と共に回転する。この場合、回転軸２２は、図示しないベアリング等を介して他の部材に自由状態で回転自在に支持され、従って、この回転軸２２に取り付けられた補助ローラー１８も、他の駆動源により回転力を付与されて、回転する。
【００３５】
具体的には、図示の実施の形態では、圧着ローラー１４は、モーターその他の図示しない駆動源により強制回転し、補助ローラー１８は、この圧着ローラー１４の回転力がベルト２０を介して伝達されて、この圧着ローラー１４と同期して回転する。
【００３６】
このため、ベルト２０に必要以上に負荷が加わることがないと同時に、圧着ローラー１４とは別に補助ローラー１８の駆動源を設定する必要がなく、駆動源が単数で足りるので、構造が簡易になると共に、一般に圧着ローラー１４に独自の駆動源を設定している既存品にも簡易に適用することができ、更には、ベルト２０及び各ローラー１４、１８の円滑な回転を確保することができる。なお、２つの相対向する圧着ローラー１４Ａ、１４Ｂは各々がモーターその他の駆動源に接続されて時点可能とすることもできるが、必ずしも限定はなく、いずれか一方の圧着ローラー１４のみを駆動源を接続して、他方の圧着ローラー１４には、圧接による転がり抵抗により回転力を伝達して、回転させることもできる。
【００３７】
また、この補助ローラー１８は、図１及び図２に示すように、圧着ローラー１４に平行に設置されている。従って、圧着ローラー１４からの回転力が偏心して伝達されることがなく、ベルト２０のよじれ等を防止して、ベルト２０及び各ローラー１４、１８の円滑な回転を確保することができる。
【００３８】
なお、この補助ローラー１８は、図１及び図２に示すように、被処理物に圧着されたフィルムを圧着ローラー１４の周面から充分に離反することができるように、圧着ローラー１４から、ある程度の距離をもって離反して配置することが好ましい。また、補助ローラー１８の大きさは、省スペース化による大型化の回避及び駆動源の負荷等を考慮して、図１及び図２に示すように、圧着ローラー１４よりも小径とすることが好ましい。
【００３９】
ベルト２０は、図１及び図２に示すように、大きな遊びが生じない程度の長さに調整して取り付けられる。これにより、ベルト２０に、必要以上に緩みが生じて、回転のすべりにより、補助ローラーへの回転力の伝達やフィルム圧着後の被処理物の搬送に悪影響が生じるのを防止することができる。
【００４０】
このベルト２０は、具体的には、シリコーン樹脂から形成することができる。これは、シリコーン樹脂であれば、ベルト２０が圧着ローラー１４の周面等を摩耗させることがなく、充分な押圧力を確保することができると同時に、被処理物に損傷を与えることなく被処理物を適切に搬送することができると共に、ベルト２０に充分な耐熱性を付与することができるからである。
【００４１】
また、このベルト２０は、図１及び図２に示すように、圧着ローラー１４の周面に形成された溝１４ａに掛けて設置することが望ましい。これにより、ベルト２０が、回転中に位置ズレすることがないと同時に、圧着ローラー１４の表面から、必要以上に突出することがないので、２つの相対向する圧着ローラー１４Ａ、１４Ｂが接し合う圧着部においても、充分な押圧力の確保の障害となることがないと共に、フィルムが圧着されたカードを円滑に送り出すことができる。
【００４２】
この場合、ベルト２０は、特に図３（Ａ）に示すように、断面が略円形状に形成されて、溝１４ａの上縁から若干だけ露出するように調整して設置される。その上で、ベルト２０は、図３（Ｂ）に示すように、２つの相対向して配置された圧着ローラー１４Ａ、１４Ｂ間を、圧着ローラー１４により負荷される圧力により押し潰されながら通過する。
【００４３】
これにより、ベルト２０が圧着ローラー１４の表面から必要以上に突出して圧着ローラー１４の押圧力を低下させることがないので、フィルムを被処理物に充分に圧着することができ、空気の混入その他の悪影響を及ぼすことがなく、ラミネートを良好な仕上がり状態にすることができる同時に、圧力に対してその弾性により復元しようとして圧着ローラー１４の表面に露出してフィルムに対して摩擦抵抗として確実に接触するので、フィルムが圧着された被処理物を適切に送り出すことができる。
【００４４】
また、各圧着ローラー１４Ａ、１４Ｂには、複数のベルト２０が跨って設置されている。この場合、これらの複数のベルト２０を、圧着ローラー１４の長手方向（回転の軸線方向）の中央を基準として左右対称に設置することが望ましい。これにより、圧着ローラー１４Ａ、１４Ｂをバランス良く回転させることができると共に、フィルム圧着後の被処理物を偏って移送することなく適切にかつ確実に取り出し口へ搬送することができる。
【００４５】
この場合、例えば、各圧着ローラー１４Ａ、１４Ｂに、それぞれ２つのベルト２０を設置して、計４つのベルト２０を設ける場合、２つの圧着ローラー１４Ａ、１４Ｂ間で、ベルト２０同士を相対向するように整列して配置することが好ましい。これにより、フィルムが圧着された被処理物に均等に力を負荷して、被処理物をバランス良く搬送することができる。
【００４６】
但し、圧着ローラー１４の周面からフィルムを確実に離反することができると同時に被処理物を取り出し口方向に適切に搬送することができれば、必ずしも限定はなく、例えば、互い違いや、また下側の圧着ローラー１４Ｂに設置された２つのベルト２０の間に上側の圧着ローラー１４Ａの２つのベルト２０を配置することもできる。更には、２つの圧着ローラー１４Ａ、１４Ｂ間で、必ずしも同数のベルト２０を設置する必要もなく、同様に、被処理物を取り出し口方向に適切に搬送することができれば、下側の圧着ローラー１４Ｂに設置された２つのベルト２０の間の中央に、上側の圧着ローラー１４Ａに設置された１つのベルト２０を配置することもできる。いずれにしろ、全てのベルト２０がフィルム圧着後の被処理物に接触するように配置することが必要である。
【００４７】
また、この場合、補助ローラー１８は、複数のベルト２０に対応して設置する。この場合、各ベルト２０毎に、対応する個数の補助ローラー１８を設置することもできるが、圧着ローラー１４と同様に、フィルムの搬送方向を横切るようにして伸びる１つの補助ローラー１８に複数のベルト２０を掛けて対応させることもできる。
【００４８】
なお、上記の実施の形態では、補助ローラー１８を、自由状態で回転自在に支持したが、必ずしもこれに限定されるものではなく、補助ローラー１８は、図示しないモーター等に接続された駆動軸に回転自在に支持して、上記の実施の形態とは逆に、この補助ローラー１８を駆動源として、補助ローラー１８の回転によりベルト２０を介して圧着ローラー１４に駆動力を伝達して、自由状態で回転可能に設置された圧着ローラー１４を回転させることもできる。
【００４９】
これによっても、補助ローラー１８とは別に圧着ローラー１４の駆動源を設定する必要がなく、駆動源が単数で足りるので、構造が簡易になると共に、ベルト２０及び各ローラー１４、１８の円滑な回転を確保することができる。
【００５０】
また、図示の実施の形態では、ベルト２０の断面を円形状としたが、圧着ローラー１４の周面からフィルムを確実に離反させることができると同時に被処理物を適切に搬送することができれば、他の断面形状、例えば、台形状の断面とすることもできる。
【産業上の利用可能性】
【００５１】
本発明は、特に、カード状の物体その他の被処理物にフィルムを加熱加圧して被覆する装置、その他の取り出し通路を有するラミネーターにおける被処理物の巻き込みの防止に適用することができる。
【図面の簡単な説明】
【００５２】
【図１】本発明に用いられる巻き込み防止手段の概略斜視図である。
【図２】本発明に用いられる巻き込み防止手段の概略側面図である。
【図３】本発明に用いられるベルトの概略断面図である。
【符号の説明】
【００５３】
１０  ラミネーター
１２  加熱手段
１４  圧着ローラー
１４ａ  溝
１６  巻き込み防止手段
１８  補助ローラー
２０  ベルト
２２  回転軸
【図１】
2005047196.tif 000003
【図２】
2005047196.tif 000004
【図３】
2005047196.tif 000005